(57)【要約】【課題】媒体の繰り出し装置において、部品点数の削減及び組立工数の削減を図る。【解決手段】媒体繰り出し装置１は、媒体（Ｐ）を収容する少なくとも２つの媒体収容部（２、３）と、媒体収容部（２，３）から媒体（Ｐ）を繰り出す繰り出しローラ４と、繰り出しローラ４を繰り出しローラ４の回動動作によって２つの上記媒体収容部（２，３）の間で走行させるガイド部５と、を備える。【選択図】図１
2011068449.tif 000002
【特許請求の範囲】
【請求項１】
媒体を収容する少なくとも２つの媒体収容部と、
該媒体収容部から前記媒体を繰り出す繰り出しローラと、
該繰り出しローラを該繰り出しローラの回動動作によって２つの前記媒体収容部の間で走行させるガイド部と、
を備えることを特徴とする媒体繰り出し装置。
【請求項２】
前記繰り出しローラ及び前記ガイド部の少なくとも一方を移動させることによって、前記繰り出しローラの位置を、前記ガイド部に沿って走行する位置と、そこから退避した位置とに切替える切替駆動部を更に備えることを特徴とする請求項１記載の媒体繰り出し装置。
【請求項３】
前記繰り出しローラは、前記退避した位置において、前記媒体収容部から前記媒体を繰り出すことを特徴とする請求項２記載の媒体繰り出し装置。
【請求項４】
前記繰り出しローラは、該繰り出しローラ又はこれに接続された部材と、前記ガイド部又はこれに接続された部材との係合によって、前記媒体収容部から前記媒体を繰り出す位置に位置決めされることを特徴とする請求項１から請求項３のいずれか１項記載の媒体繰り出し装置。
【請求項５】
前記繰り出しローラは、前記繰り出しローラ又はこれに接続された部材、及び、前記ガイド部又はこれに接続された部材、のうちの一方に設けられた２つの係合凹部と他方に設けられた係合凸部との係合によって、前記媒体収容部から前記媒体を繰り出す２つの位置に位置決めされることを特徴とする請求項４記載の媒体繰り出し装置。
【請求項６】
前記繰り出しローラを駆動する駆動ローラと、
前記繰り出しローラに接続され、該繰り出しローラと前記駆動ローラとを連結する連結部と、
を更に備え、
前記繰り出しローラは、前記連結部と前記ガイド部との係合によって、前記媒体収容部から前記媒体を繰り出す位置に位置決めされる、
ことを特徴とする請求項４又は請求項５記載の媒体繰り出し装置。
【発明の詳細な説明】
【技術分野】
【０００１】
本発明は、媒体を繰り出す媒体繰り出し装置に関する。
【背景技術】
【０００２】
従来、現金自動預け払い機（ＡＴＭ：Auto Teller Machine）等における通帳カセットの繰り出し動作は、例えば図４に示す媒体繰り出し装置３１によって行われている。
媒体繰り出し装置３１は、２つの通帳カセット３２，３３と、２つの繰り出しローラ３４，３５と、２つのタイミングベルト３６，３７と、駆動ローラ３８と、駆動機構３９と、送りローラ４０，４１と、を備える。
【０００３】
各通帳カセット３２，３３には、通帳Ｐが、例えば図示しない付勢機構によって繰り出しローラ３４，３５側に付勢された状態で収容されている。
図４の左側に配置された繰り出しローラ３４には、反時計回りに回転可能な図示しないワンウェイベアリングが組み込まれている。一方、図４の右側に配置された繰り出しローラ３５には、時計回りに回転可能な図示しないワンウェイベアリングが組み込まれている。
【０００４】
繰り出しローラ３４，３５は、タイミングベルト３６，３７によって共通の駆動ローラ３８に接続されている。なお、駆動ローラ３８は、例えば、電磁石３９ａ，３９ｂによって、駆動伝達ギア群３９ｃ〜３９ｆのうち、反時計回りに回転するギア３９ｅ又は時計回りに回転するギア３９ｆに噛合して、反時計回り又は時計回りに回転する。
【０００５】
図５Ａに示すように、駆動ローラ３８が反時計回りに回転するときは、左側の繰り出しローラ３４のみが回転し、右側の繰り出しローラ３５はワンウェイベアリングによって回転が抑止される。そのため、図５Ｂに示すように、左側の通帳カセット３２のみから通帳Ｐが繰り出され、送りローラ４０や駆動ローラ３８などによって排出される。
【０００６】
一方、図６Ａに示すように、駆動ローラ３８が時計回りに回転するときは、右側の繰り出しローラ３５のみが回転し、左側の繰り出しローラ３４はワンウェイベアリングによって回転が抑止される。そのため、図６Ｂに示すように、右側の通帳カセット３３のみから通帳Ｐが繰り出され、送りローラ４１や駆動ローラ３８などによって排出される。
【０００７】
以上説明した媒体繰り出し装置３１のほか、媒体の繰り出し動作としては、例えば、以下の特許文献１〜３記載の技術が知られている。
特許文献１記載の自動給紙装置では、別々にセットした２種類の紙葉を送り出すために、駆動軸の回転によって当該回転方向にＶ字状揺動アームを揺動させる。そして、Ｖ字状揺動アームの２つの先端部に設けた駆動歯車のいずれかによって給紙ローラを正回転又は逆回転させ、２種類の紙葉のうちの一方の紙葉を送り出す。
【０００８】
特許文献２記載の給紙装置では、上段と下段とに仕切られたカセットを保持するカセットホルダを傾斜させることによって、上段又は下段に収納された用紙を、正逆両方向に回転するピックローラに接触させて給紙する。
【０００９】
特許文献３記載の印刷装置では、用紙が積載収納された第１給紙台及び第２給紙台を昇降させることによって、一方の給紙台の用紙を、時計回り及び反時計回りに回転する給紙コロ等に接触させて給紙する。
【先行技術文献】
【特許文献】
【００１０】
【特許文献１】特開平５−１７０３４６号公報
【特許文献２】特開平９−３１５６０３号公報
【特許文献３】特開２００１−６３８４９号公報
【発明の概要】
【発明が解決しようとする課題】
【００１１】
ところで、図４〜図６Ｂに示す媒体繰り出し装置３１では、２つの媒体収容部（通帳カセット３２，３３）から媒体（通帳Ｐ）を繰り出すために、２つの繰り出しローラ３４，３５、これらに組み込まれたワンウェイベアリング、２つのタイミングベルト３６，３７などが必要となり、部品点数及び組立工数が増加するという問題がある。
【００１２】
上記特許文献１の自動給紙装置においても、２つの媒体収容部から媒体を繰り出すために、Ｖ字状揺動アーム及び２つの駆動歯車が必要となるなど構造が複雑化する。また、上記特許文献２及び３の装置においても、カセットを傾斜させるために又は給紙台を昇降させるために、構造が複雑化する。そのため、上記特許文献１〜３の装置によっても、部品点数及び組立工数が増加するという問題がある。
【００１３】
本発明の目的は、部品点数及び組立工数の削減を図ることができる媒体繰り出し装置を提供することである。
【課題を解決するための手段】
【００１４】
媒体繰り出し装置は、媒体を収容する少なくとも２つの媒体収容部と、上記媒体収容部から上記媒体を繰り出す繰り出しローラと、上記繰り出しローラを上記繰り出しローラの回動動作によって２つの上記媒体収容部の間で走行させるガイド部と、を備える。
【発明の効果】
【００１５】
本発明によれば、部品点数の削減及び組立工数の削減を図ることができる。
【図面の簡単な説明】
【００１６】
【図１】本発明の一実施の形態に係る媒体繰り出し装置を示す要部概略図である。
【図２Ａ】本発明の一実施の形態に係る媒体繰り出し装置のガイド部及び繰り出しローラの動きを説明するための部分概略図（その１）である。
【図２Ｂ】本発明の一実施の形態に係る媒体繰り出し装置のガイド部及び繰り出しローラの動きを説明するための部分概略図（その２）である。
【図２Ｃ】本発明の一実施の形態に係る媒体繰り出し装置のガイド部及び繰り出しローラの動きを説明するための部分概略図（その３）である。
【図３Ａ】本発明の一実施の形態に係る媒体繰り出し装置の動作を説明するための要部概略図（その１）である。
【図３Ｂ】本発明の一実施の形態に係る媒体繰り出し装置の動作を説明するための要部概略図（その２）である。
【図３Ｃ】本発明の一実施の形態に係る媒体繰り出し装置の動作を説明するための要部概略図（その３）である。
【図３Ｄ】本発明の一実施の形態に係る媒体繰り出し装置の動作を説明するための要部概略図（その４）である。
【図３Ｅ】本発明の一実施の形態に係る媒体繰り出し装置の動作を説明するための要部概略図（その５）である。
【図３Ｆ】本発明の一実施の形態に係る媒体繰り出し装置の動作を説明するための要部概略図（その６）である。
【図３Ｇ】本発明の一実施の形態に係る媒体繰り出し装置の動作を説明するための要部概略図（その７）である。
【図４】従来の媒体繰り出し装置を示す概略構成図である。
【図５Ａ】従来の媒体繰り出し装置の駆動ローラが反時計回りに回転する場合の動作を説明するための要部概略図（その１）である。
【図５Ｂ】従来の媒体繰り出し装置の駆動ローラが反時計回りに回転する場合の動作を説明するための要部概略図（その２）である。
【図６Ａ】従来の媒体繰り出し装置の駆動ローラが時計回りに回転する場合の動作を説明するための要部概略図（その１）である。
【図６Ｂ】従来の媒体繰り出し装置の駆動ローラが時計回りに回転する場合の動作を説明するための要部概略図（その２）である。
【発明を実施するための形態】
【００１７】
以下、本発明の実施の形態に係る媒体繰り出し装置について、図面を参照しながら説明する。
図１は、本発明の一実施の形態に係る媒体繰り出し装置１を示す要部概略図である。
【００１８】
図１に示す媒体繰り出し装置１は、２つの通帳カセット（媒体収容部）２，３と、繰り出しローラ４と、ガイド部５と、切替駆動部６と、タイミングベルト７と、駆動ローラ８と、連結部９と、送りローラ１０，１１と、を備える。
【００１９】
本実施の形態の媒体繰り出し装置１は、例えば現金自動預け払い機（ＡＴＭ）に配置され通帳（媒体）Ｐを繰り出す媒体繰り出し装置１であるが、媒体としては通帳以外の紙葉類その他の媒体でもよい。そのため、媒体繰り出し装置１を現金自動預け払い機以外の装置に配置するようにしてもよい。
【００２０】
通帳カセット２，３には、通帳Ｐが、例えば図示しない付勢機構によって繰り出しローラ４側に付勢された状態で収容されている。通帳カセット２，３には、繰り出しローラ４が通帳Ｐに当接して通帳Ｐを繰り出すことができるように、繰り出しローラ４と対向する位置に開口部２ａ，３ａが形成されている。また、通帳カセット２，３の図１における下部には、通帳Ｐを１つずつ排出するに足りる程度の大きさの排出口２ｂ，３ｂが形成されている。なお、通帳カセット２と通帳カセット３とには、互いに異なる通帳Ｐを収容するようにしても、互いに同一の通帳Ｐを収容するようにしてもよい。
【００２１】
繰り出しローラ４は、例えば金属製の１つ又は互いに対向する２つの連結部９を介して、繰り出しローラ４を駆動する駆動ローラ８にシャフト部分で連結されている。また、繰り出しローラ４には、タイミングベルト７によって、時計回り及び反時計回りに回転可能な駆動ローラ８の回動が伝達される。詳しくは後述するが、繰り出しローラ４は、通帳Ｐを繰り出す際と同じ回動動作によって、ガイド部５に沿って通帳カセット２，３間を走行する。
【００２２】
なお、繰り出しローラ４は、２つの通帳カセット２，３間を走行するが、媒体繰り出し装置１が３つ以上の通帳カセットを備えるようにしてもよい。その場合、２以上の繰り出しローラ４を配置してもよい。
【００２３】
また、連結部９は、図１ではガイド部５の左側に接続する例について図示しているが、左右両側のそれぞれにおいて、１つ又は互いに対向する２つの連結部を配置するようにしてもよい。
【００２４】
ガイド部５は、図１における上面５ａ及び下面５ｂが通帳カセット２，３側の両端にかけて下方に湾曲した四角柱形状を呈し、上面５ａにおいて繰り出しローラ４に当接し、下面５ｂに凹部５ｃが開口している。この凹部５ｃ内には、２つの係合凹部５ｄ，５ｅが、下方に開口するように凹部５ｃの左右両端に設けられている。係合凹部５ｄ，５ｅは、連結部９に突設された係合凸部９ａに係合可能な大きさに形成されている。
【００２５】
なお、本実施の形態では繰り出しローラ４がガイド部５の上面を移動するため、ガイド部５の上面５ａは、駆動ローラ８と連結部９とが接続された位置からの距離を一定とするべく、上述のように通帳カセット２，３側の両端にかけて下方に湾曲している。
【００２６】
本実施の形態では、連結部９とガイド部５とを係合させているが、連結部９以外の、繰り出しローラ４に直接的又は間接的に接続（一体に移動可能に連結）された部材と、ガイド部５又はこれに直接的若しくは間接的に接続された部材とを係合させてもよいし、繰り出しローラ４とガイド部５又はこれに直接的若しくは間接的に接続された部材とを係合させてもよい。
【００２７】
また、本実施の形態では、連結部９とガイド部５との係合に係合凸部９ａ及び係合凹部５ｄ，５ｅを用いているが、繰り出しローラ４を位置決めし得るものであれば、その他の構成を用いてもよい。
【００２８】
切替駆動部６は、電磁石６ａと、例えば金属製の１つ又は互いに対向する２つの接続部６ｂと、を有する。この接続部６ｂは、電磁石６ａとガイド部５とを接続する。切替駆動部６は、電磁石６ａによって接続部６ｂを上下に移動させることで、接続部６ｂに接続されたガイド部５を上下方向に移動させる。これにより、切替駆動部６は、繰り出しローラ４の位置を、ガイド部５に沿って走行する位置Ｐ１と、そこから退避した後述する図２Ｃに示す位置Ｐ２とに切替える。
【００２９】
具体的には、図２Ａに示すように繰り出しローラ４がガイド部５の上面５ａに沿って通帳カセット２，３の間を走行するときには、連結部９の係合凸部９ａは、ガイド部５の凹部５ｃ内に位置するが、係合凹部５ｄ，５ｅとは係合していない。一方、繰り出しローラ４の走行によって、係合凸部９ａが凹部５ｃの側面に接触する位置、即ち係合凸部９ａが一方の係合凹部５ｅと対向する位置に達すると、図２Ｂ及び図２Ｃに示すように、切替駆動部６は、電磁石６ａによって接続部６ｂを下方に移動させ、係合凹部５ｅに係合凸部９ａを係合させる。
【００３０】
繰り出しローラ４の位置は、係合凹部５ｂ，５ｃと連結部９の係合凸部９ａとが係合することによって、上記退避した位置Ｐ２となり、この退避した位置Ｐ２において、通帳カセット２，３から通帳Ｐを繰り出す位置に位置決め（ロック）される。
【００３１】
なお、切替駆動部６は、繰り出しローラ４を移動させることによって繰り出しローラ４の位置を切替えても、ガイド部５及び繰り出しローラ４の両方を移動させることによって繰り出しローラ４の位置を切替えてもよい。
【００３２】
また、切替駆動部６は、電磁石６ａを用いなくとも、ガイド部５及び繰り出しローラ４の少なくとも一方を移動させ得るものであれば、電磁石６ａ以外の駆動機構を用いてもよい。
【００３３】
送りローラ１０，１１は、通帳カセット２，３の排出口２ｂ，３ｂから排出される通帳Ｐと当接することで回転し、駆動ローラ８との間で通帳Ｐを所望の方向へ送り出す。なお、送りローラ１０，１１は、本実施の形態では、通帳カセット２，３と共通の単一の筐体に設けられている。
【００３４】
以下、媒体繰り出し装置１の動作について、上述の説明と重複する点については適宜省略しながら、図３Ａ〜図３Ｇを用いて説明する。
図３Ａ〜図３Ｇは、媒体繰り出し装置１の動作を説明するための要部概略図である。
【００３５】
図３Ａに示すように、駆動ローラ８が時計回りに回転すると、タイミングベルト７によって駆動ローラ８の時計回りの回転が繰り出しローラ４に伝達される。そして、繰り出しローラ４は、ガイド部５に当接していると、ガイド部５の上面５ａに沿って通帳カセット２，３の間を走行する。このとき、連結部９の係合凸部９ａは、ガイド部５の凹部５ｃ内に位置するが、係合凹部５ｄ，５ｅとは係合していない。
【００３６】
そして、繰り出しローラ４は、時計回りに回転すると、図３Ｂに示すように、ガイド部５上を右方向に走行する。これにより、係合凸部９ａが凹部５ｃの一方の側面に接触する位置、即ち係合凸部９ａが一方の係合凹部５ｅと対向する位置に達すると、切替駆動部６は、電磁石６ａによって接続部６ｂを下方に移動させ、ガイド部５を下方に移動させる。これにより、図３Ｃに示すように係合凸部９ａが係合凹部５ｅに係合する。
【００３７】
図３Ｃに示す繰り出しローラ４の位置は、繰り出しローラ４自体は移動していないが、ガイド部５が下方に移動して係合凸部９ａが係合凹部５ｅに係合したことにより、ガイド部５に沿って走行する位置Ｐ１から退避した位置Ｐ２へ切替わる。
【００３８】
これにより、図３Ｄに示すように、繰り出しローラ４の回動を、ガイド部５上の走行動作から通帳Ｐの繰り出し動作に切替えて利用することができる。この位置で、繰り出しローラ４は開口部３ａを通して、通帳カセット３の内部にある開口部３ａに最も近い通帳Ｐと接触する。そして、通帳Ｐは、繰り出しローラ４によって通帳カセット３から排出口３ｂを通って排出され、送りローラ１１や駆動ローラ８などによって排出される。
【００３９】
左側の通帳カセット２から通帳Ｐを排出する場合には、図３Ｅに示すように、切替駆動部６は、電磁石６ａによって接続部６ｂを上方に移動させ、ガイド部５を上方に移動させる。これにより、図３Ｆに示すように、係合凹部５ｅと係合凸部９ａとの係合を解除し、繰り出しローラ４の位置をガイド部５に沿って走行する位置Ｐ１に切替える。そして、駆動ローラ８を反時計回りに回転させた状態で、繰り出しローラ４を通帳カセット２から通帳Ｐを繰り出す位置、即ち、係合凸部９ａが係合凹部５ｄに対向する位置まで走行させる。そして、繰り出しローラ４は開口部２ａを通して、通帳カセット２の内部にある開口部２ａに最も近い通帳Ｐと接触する。そして、通帳Ｐは、繰り出しローラ４によって通帳カセット２から排出口２ｂを通って排出され、送りローラ１０や駆動ローラ８などによって排出される。
【００４０】
通帳Ｐの繰り出しを行わない初期状態では、繰り出しローラ４をいずれかの通帳カセット２，３から通帳Ｐを繰り出す位置に待機させてもよいが、図３Ｇに示すようにガイド部５上の中央に例えば図示しない位置決め部材によってガイド部４を位置決めし、待機させるようにしてもよい。
【００４１】
以上説明した本実施の形態では、媒体繰り出し装置１は、通帳（媒体）Ｐを収容する少なくとも２つの通帳カセット（媒体収容部）２，３と、通帳カセット２，３から通帳Ｐを繰り出す繰り出しローラ４と、この繰り出しローラ４を繰り出しローラ４の回動動作によって２つの通帳カセット２，３の間で走行させるガイド部５と、を備える。そのため、単一の繰り出しローラ４を、その繰り出し動作に用いる回動動作によってガイド部５に沿って走行させることができ、簡素な構成で、２つの通帳カセット２，３において通帳Ｐの繰り出しを行うことができる。よって、本実施の形態によれば、部品点数及び組立工数の削減を図ることができる。また、上記構造の簡素化によってコストダウンを図ることもできる。
【００４２】
また、本実施の形態では、切替駆動部６は、繰り出しローラ４及びガイド部５の少なくとも一方としてのガイド部５を移動させることによって、繰り出しローラ４の位置を、ガイド部５に沿って走行する位置（Ｐ１）と、そこから退避した位置（Ｐ２）とに切替える。そのため、繰り出しローラ４は、上記退避した位置（Ｐ２）において、ガイド部５の影響を受けずに通帳Ｐの繰り出しその他の動作を行うことができる。
【００４３】
また、本実施の形態では、繰り出しローラ４は、上記退避した位置（Ｐ２）において、通帳カセット２，３から通帳Ｐを繰り出す。そのため、繰り出しローラ４の回動動作によって、ガイド部５の影響を受けずに、通帳Ｐを繰り出すことができる。
【００４４】
また、本実施の形態では、繰り出しローラ４は、連結部（繰り出しローラに接続された部材）９とガイド部５との係合によって、通帳カセット２，３から通帳Ｐを繰り出す位置に位置決めされる。そのため、繰り出しローラ４による通帳Ｐの繰り出し動作を安定させて行うことができる。これは、繰り出しローラ４又はこれに接続された部材と、ガイド部５又はこれに接続された部材との係合によって、繰り出しローラ４を、通帳カセット２，３から通帳Ｐを繰り出す位置に位置決めする場合も同様である。
【００４５】
また、本実施の形態では、繰り出しローラ４は、ガイド部５に設けられた２つの係合凹部５ｄ，５ｅと連結部９に設けられた係合凸部９ａとの係合によって、通帳カセット２，３から通帳Ｐを繰り出す２つの位置に位置決めされる。このように係合凹部及び係合凸部を用いることで、繰り出しローラ４による通帳Ｐの繰り出し動作を、簡素な構成で安定させて行うことができる。
【符号の説明】
【００４６】
１      媒体繰り出し装置
２，３      通帳カセット（媒体収容部）
２ａ，３ａ      開口部
２ｂ，３ｂ      排出口
４      繰り出しローラ
５      ガイド部
５ａ      上面
５ｂ      下面
５ｃ      凹部
５ｄ，５ｅ      係合凹部
６      切替駆動部
６ａ      電磁石
６ｂ      接続部
７      タイミングベルト
８      駆動ローラ
９      連結部
９ａ      係合凸部
１０，１１      送りローラ
【図１】
2011068449.tif 000003
【図２Ａ】
2011068449.tif 000004
【図２Ｂ】
2011068449.tif 000005
【図２Ｃ】
2011068449.tif 000006
【図３Ａ】
2011068449.tif 000007
【図３Ｂ】
2011068449.tif 000008
【図３Ｃ】
2011068449.tif 000009
【図３Ｄ】
2011068449.tif 000010
【図３Ｅ】
2011068449.tif 000011
【図３Ｆ】
2011068449.tif 000012
【図３Ｇ】
2011068449.tif 000013
【図４】
2011068449.tif 000014
【図５Ａ】
2011068449.tif 000015
【図５Ｂ】
2011068449.tif 000016
【図６Ａ】
2011068449.tif 000017
【図６Ｂ】
2011068449.tif 000018